(57)【特許請求の範囲】
【請求項１】
撮影光学系と、該撮影光学系の中に配置され、複数の絞り羽根を駆動して像面へ到達する光量を調節する絞り手段とを有し、前記絞り羽根が移動する平面が前記撮影光学系の光軸と直角方向に対して所定の角度を有する絞り装置において、
前記撮影光学系を通過する光束を光軸中心に均等に制限するために、開放から最小絞りまでの開口形状を構成する前記複数の絞り羽根の光軸からの距離がそれぞれ異なるように構成したことを特徴とする絞り装置。
【請求項２】
前記絞りは揺動を行うレバーに設けたピンによって駆動される２枚の絞り羽根によって構成され、それぞれの羽根に係合するピンのレバー回転中心からの距離を異ならせることによって、各絞り値に対するそれぞれの絞り羽根の光軸中心からの距離が異なるように構成したことを特徴とする請求項１記載の絞り装置。
【発明の詳細な説明】
【０００１】
【発明の属する技術分野】
本発明は、撮影光学系内に配置され、通過する光量を制限するためめ絞り装置に関する。
【０００２】
【従来の技術】
スチルカメラ、ビデオカメラ等の撮影レンズの絞り装置には、複数の絞り羽根を光軸回りに回動させて絞り径の調整を行う所謂「虹彩絞り」に代えて一直線上を互いに逆方向に移動する２枚の絞り羽根を用いて小型化と軽量化及びコストの低減を図った撮影レンズの絞り装置が使用されるようになってきている。
【０００３】
ところが、被写体が明るいときに絞り径が小さくなり過ぎると、回折による画質の劣化と焦点深度の増大によるゴミの写り込みが問題となる。
【０００４】
そこで、絞り径が小さくなり過ぎるのを防止するため、一方の絞り羽根にＮＤフィルタを取り付け、２枚の絞り羽根を駆動して絞り開口を形成するとともに、ＮＤフィルタを絞り開口に進入させるようにしたものがある。
【０００５】
しかしながら、ＮＤフィルタを取り付けたことにより、撮像素子に結像して反射した光が逆行してＮＤフィルタに平行光束として入射し、再び平行光束として戻るため、光源のゴースト像が撮像素子の近くに結像してしまうという問題があった。
【０００６】
上記ゴーストの結像を防止する目的で、絞りユニット全体を傾けて配置し、ＮＤフィルタで反射した光束が撮像素子から離れた位置に結像するよう構成した例がある。
【０００７】
【発明が解決しようとする課題】
しかしながら、絞りユニットを斜めに配置すると、絞り付近の有効光束がほぼ平行に入射する場合は良いが、光学系によっては、円錐状に傾いた光線として入射するために絞りユニットを傾けた方向に光束を制限する量に差が生じ、上下或は左右方向に光量のアンバランスが生じるという問題が発生する。
【０００８】
本発明は上記問題に鑑みてなされたもので、その目的とする処は、ＮＤフィルタと撮像素子とで生じる強度の強いゴーストを実用上有害にならないようにするとともに、光量のアンバランスを改善することができる絞り装置を提供することにある。
【０００９】
【課題を解決するための手段】
上記目的を達成するため、本発明は、撮影光学系と、該撮影光学系の中に配置され、複数の絞り羽根を駆動して像面へ到達する光量を調節する絞り手段とを有し、前記絞り羽根が移動する平面が前記撮影光学系の光軸と直角方向に対して所定の角度を有する絞り装置において、前記撮影光学系を通過する光束を光軸中心に均等に制限するために、開放から最小絞りまでの開口形状を構成する前記複数の絞り羽根の光軸からの距離がそれぞれ異なるように構成したことを特徴とする。
【００１０】
【発明の実施の形態】
以下に本発明の実施の形態を添付図面に基づいて説明する。
【００１１】
図１は本発明に係る絞り装置を搭載したズームレンズの断面図であり、同図において、１は凸の第１群レンズＬ１を保持した固定鏡筒、２は後方に図示しないローパスフィルタを保持し、更に後方には不図示のＣＣＤセンサが取り付けられる後部鏡筒である。３は固定の凸レンズである第３群レンズＬ３を保持したアフォーカル鏡筒であり、これは固定鏡筒１と後部鏡筒２に挟持され、ビスによって固定されている。４は第２群鏡筒であり、これはズーミングを行う凹の第２群レンズＬ２を保持し、上記第２群鏡筒４は、前後を固定鏡筒１と後部鏡筒２に保持されている２本のガイドバーによって光軸方向へ移動自在に保持されている。
【００１２】
５はフォーカス調節を行う凸の第４群レンズＬ４を保持した第４群鏡筒であり、これは第２群鏡筒４と同じガイドバーによって光軸方向へ移動自在に保持されている。ガイドバーは光軸を挟んで設けられており、これら２本のガイドバーによって第２群鏡筒４と第４群鏡筒５の光軸方向の案内と光軸周りの回り止めとを行っている。第２群鏡筒４と第４群鏡筒５は、それぞれ図示しないステップモータによって、周知のネジ送り機構で光軸方向に進退し、ズーミング及びフォーカス調整を行う。
【００１３】
６は本発明を実施した絞りユニットであり、２枚の絞り羽根７，８が光軸の垂直平面に対して所定の角度を持って配置されている。本実施の形態においては、光源となり易い太陽光等は通常撮影ではレンズの上側から入り易いため、絞りユニット６を上下方向で、且つ、被写体側に倒した方向に傾けてある。それによって、上側から入射した光線に対して、ＮＤフィルタ１０によって反射したゴースト像が撮像素子からより離れた位置に結像するよう構成している。
【００１４】
絞りユニット６は、円錐状のピン６ａをアフォーカル鏡筒３の円錐状の穴３ａに嵌合させて位置決めを行うとともに、光軸を挟んで反対側に設けたピンと長穴によって回り止めを行っている（不図示）。そして、固定鏡筒１とアフォーカル鏡筒３によって挟持固定されている。
【００１５】
図１に示す２点鎖線２０は入射する光束の有効範囲を示しており、絞りユニット６の近辺では円錐状に斜めに入射することが分かる。従って、絞りを斜めに配置した場合、絞り羽根によって切断される光束の断面積は、光軸より上側の光束の方が下側の光束に比べて小さくなる。通常の絞りのように開口の中心から同心円状に開口形状が形成されるものを用いると、上下の光量バランスが崩れることによって、撮影される画像に明暗の差が生じることがある。
【００１６】
そこで、本発明は、２枚の絞り羽根７，８が移動する距離を異ならせることにより、前記問題を解決するよう構成したものである。即ち、開放時の絞り形状が、絞りユニット６の傾きに合わせて、羽根７は図１上Ａ、羽根８はＢで示す位置に絞り開口形状が来るように配置し、光軸中心で閉じ切るように構成している。従って、上下方向に均等に光量が配分されるようになり、前記のような画質劣化が生じない。
【００１７】
図２は絞りユニット６の平面図であり、図２（ａ）は閉じきった状態、図２（ｂ）は開放状態を示している。又、図３は絞りユニット６の分解斜視図である。
【００１８】
図において、羽根７は地板６ｂに設けたピン６ｃ，６ｄ，７ｅに長穴７ａ，７ｂ，７ｃが係合し、図中、上下方向に移動可能に保持されている。羽根８も同様に地板６ｂに設けたピン６ｃ，６ｄ，６ｆに長穴８ａ，８ｂ，８ｃが係合し、図中、上下方向に移動可能に保持されている。
【００１９】
９はメータ６ｇの回転軸に固定され、電磁機構によって揺動運動を行うレバーであり、ピン９ａ，９ｂが羽根７，８に設けた長穴７ｄ，８ｄに係合し、羽根７，８を駆動するものである。ここで、レバー９の回転中心９ｃからピン９ａ，９ｂまでの距離Ａ’，Ｂ’に差をつけることにより、開放から閉じ切りまでの羽根７，８の移動距離Ａ”，Ｂ”を所定の長さにするように構成している。尚、Ａ”，Ｂ”は図１のＡ，Ｂに対して閉じ切ったときの羽根７，８同士のオーバーラップ量、寸法誤差等を加えた量である。
【００２０】
１０はＮＤフィルタであり、これは羽根７に接着固定されている。１１は金属板で構成された押さえ板であり、これは羽根７，８を所定のスペース内で駆動するためにフック１１ａ，１１ｂ，１１ｃで固定される。
【００２１】
【発明の効果】
以上の説明で明らかなように、本発明によれば、撮影光学系と、該撮影光学系の中に配置され、複数の絞り羽根を駆動して像面へ到達する光量を調節する絞り手段とを有し、前記絞り羽根が移動する平面が前記撮影光学系の光軸と直角方向に対して所定の角度を有する絞り装置において、前記撮影光学系を通過する光束を光軸中心に均等に制限するために、開放から最小絞りまでの開口形状を構成する前記複数の絞り羽根の光軸からの距離がそれぞれ異なるように構成したため、ＮＤフィルタと撮像素子とで生じる強度の強いゴーストを実用上有害にならないようにするとともに、光量のアンバランスを改善することができるという効果が得られる。
【図面の簡単な説明】
【図１】本発明に係る絞り装置を搭載したズームレンズの断面図である。
【図２】本発明に係る絞りユニットの平面図である。
【図３】本発明に係る絞りユニットの分解斜視図である。
【符号の説明】
６        絞りユニット
７，８    絞り羽根
９        レバー
１０      ＮＤフィルタ
１１      押さえ板
【図１】
0003840093.tif 000002
【図２】
0003840093.tif 000003
【図３】
0003840093.tif 000004